(57)【要約】【課題】良好な耐久性の時計を提供する。【解決手段】時計１は、風防ガラス１１２を有する風防１１０と、風防１１０に対向配置される裏蓋１２０と、風防１１０および裏蓋１２０に挟持される略筒状の胴部１３０と、これらの風防１１０、裏蓋１２０、および胴部１３０により囲われる空間に設けられるとともに時刻を表示させるムーブメント２００と、を備えた。そして、胴部１３０は、金属製素材により略環状に形成されるとともに、所定位置にムーブメント２００に接続されてこのムーブメント２００の動作内容を操作入力可能なリューズ１６０を挿通する挿通孔１３１Ａを備えた金属部１３１と、この金属部１３１と風防１１０との間に設けられるとともに、ガラスにて形成される略筒状の第一ガラス部１３２と、金属部１３１と裏蓋１２０との間に設けられるとともに、ガラスにて形成される略筒状の第二ガラス部１３３と、を具備した。【選択図】図１
2009008498.tif 000002
【特許請求の範囲】
【請求項１】
風防ガラスおよびこの風防ガラスを保持するガラス保持部を有する風防と、この風防に対向配置される裏蓋と、前記風防および前記裏蓋に挟持される略筒状の胴部と、これらの風防、裏蓋、および胴部により囲われる空間に設けられるとともに時刻を表示する時刻表示部を有する時計体と、前記時計体に接続されて前記時計体の動作内容を操作入力可能な操作部と、を備えた時計であって、
前記胴部は、
金属製素材により略環状に形成されるとともに、前記操作部の軸を挿通する挿通孔を有する金属部と、
この金属部と前記風防との間に設けられるとともに、少なくとも一部がガラスにて形成される略筒状の第一ガラス部と、
前記金属部と前記裏蓋との間に設けられるとともに、少なくとも一部がガラスにて形成される略筒状の第二ガラス部と、
を具備したことを特徴とする時計。
【請求項２】
請求項１に記載の時計において、
前記第一ガラス部と前記風防との間、前記第一ガラス部と前記金属部との間、前記第二ガラス部と前記裏蓋との間、および前記第二ガラス部と前記金属部との間には、それぞれ緩衝部材が設けられた
ことを特徴とする時計。
【請求項３】
請求項２に記載の時計において、
前記風防の前記第一ガラス部に対向する面、前記裏蓋の前記第二ガラス部に対向する面、前記金属部の前記第一ガラス部に対向する面、および前記金属部の前記第二ガラス部に対向する面には、それぞれ前記胴部の端面に沿って略環状の溝部が形成され、
前記緩衝部材は、前記溝部に配置されている
ことを特徴とする時計。
【請求項４】
請求項２または請求項３に記載の時計において、
前記緩衝部材は、前記第一ガラス部と前記風防との間、前記第一ガラス部と前記金属部との間、前記第二ガラス部と前記裏蓋との間、および前記第二ガラス部と前記金属部との間をそれぞれシールする略環状のパッキン部材である
ことを特徴とする時計。
【請求項５】
請求項１から請求項４のいずれかに記載の時計において、
前記金属部は、前記第一ガラス部および前記第二ガラス部に係合して、これらの前記第一ガラス部および前記第二ガラス部を当該金属部と同軸上に位置決めする係合部を備えた
ことを特徴とした時計。
【請求項６】
請求項１ないし請求項５のいずれかに記載の時計において、
前記風防のガラス保持部は、前記裏蓋に向かって突出する裏蓋固定部を備え、
前記裏蓋固定部の突出先端面は、前記裏蓋に当接されて裏蓋を介してネジがねじ込まれ、
前記胴部は、前記風防のガラス保持部および裏蓋で前記緩衝部材を介して挟持された
ことを特徴とした時計。
【発明の詳細な説明】
【技術分野】
【０００１】
本発明は、内部構造が視認可能な時計に関する。
【背景技術】
【０００２】
従来、内部構造が外部から視認できる、いわゆるスケルトンタイプの時計が知られている（例えば、特許文献１参照）。
【０００３】
この特許文献１に記載のものは、環状のケースに収容部を設け、これらの封要部に上部ガラス板と、裏カバーとが設けられたスケルトン時計である。
【０００４】
【特許文献１】特開平０２−１１６７８４号公報
【発明の開示】
【発明が解決しようとする課題】
【０００５】
ところで、近年、時計のデザインのさらなる向上のために、側面からも内部構造を視認できるタイプの時計が求められている。しかしながら、上記特許文献１に記載のような従来のスケルトン時計において、ケースをガラスにて形成し、ケースに竜頭を挿通させる孔部を設けると、ケースの耐久性が著しく低下してしまうという問題がある。
【０００６】
本発明は、上記のような問題に鑑みて、良好な耐久性の時計を提供することを目的とする。
【課題を解決するための手段】
【０００７】
本発明の時計は、風防ガラスおよびこの風防ガラスを保持するガラス保持部を有する風防と、この風防に対向配置される裏蓋と、前記風防および前記裏蓋に挟持される略筒状の胴部と、これらの風防、裏蓋、および胴部により囲われる空間に設けられるとともに時刻を表示する時刻表示部を有する時計体と、前記時計体に接続されて前記時計体の動作内容を操作入力可能な操作部と、を備えた時計であって、前記胴部は、金属製素材により略環状に形成されるとともに、前記操作部の軸を挿通する挿通孔を有する金属部と、この金属部と前記風防との間に設けられるとともに、少なくとも一部がガラスにて形成される略筒状の第一ガラス部と、前記金属部と前記裏蓋との間に設けられるとともに、少なくとも一部がガラスにて形成される略筒状の第二ガラス部と、を具備したことを特徴とする。
【０００８】
この発明によれば、時計の胴部は、略環状の金属部と、この金属部と風防との間に配置される第一ガラス部、金属部と裏蓋との間に配置される第二ガラス部と、を備えている。そして、金属部は、操作部の軸を挿通可能な挿通孔を備えている。
これにより、第一および第二ガラス部により外部から内部を視認可能となり、また、ガラス特有の高級感などにより、意匠性を良好にすることができる。また、胴部の金属部に挿通孔が形成されているので、胴部の耐久性を低下させずに胴部にリューズなどの操作部の軸を挿通させることができる。以上により、耐久性が良好で、かつ意匠性に優れた時計を提供することができる。
【０００９】
また、本発明の時計では、前記第一ガラス部と前記風防との間、前記第一ガラス部と前記金属部との間、前記第二ガラス部と前記裏蓋との間、および前記第二ガラス部と前記金属部との間には、それぞれ緩衝部材が設けられることが好ましい。
この発明によれば、時計組立時に、胴部の金属部と第一および第二ガラス部との間、風防と第一ガラス部との間、裏蓋と第二ガラス部との間に緩衝部材があるため、時計に大きな応力が加わったとしても、これらの応力を緩衝部材にて弱めることができる。したがって、第一ガラス部や第二ガラス部に直接大きな応力が加わらず、これら第一および第二ガラス部の破損を防止することができる。
【００１０】
さらに、本発明の時計では、前記風防の前記第一ガラス部に対向する面、前記裏蓋の前記第二ガラス部に対向する面、前記金属部の前記第一ガラス部に対向する面、および前記金属部の前記第二ガラス部に対向する面には、それぞれ前記胴部の端面に沿って略環状の溝部が形成され、前記緩衝部材は、前記溝部に配置されていることが好ましい。
この発明によれば、風防および金属部の第一ガラス部に対向する面、裏蓋および金属部の第二ガラス部に対向する面に溝部が設けられ、緩衝部材がこの溝部に沿って設けられている。これにより、時計組立時に緩衝部材がずれるなどの不都合を回避でき、第一および第二ガラス部への応力の付加を良好に防止できる。また、緩衝部材を溝部に沿って配置するため、緩衝部材を外部から視認し難くでき、良好な意匠性の時計を提供できる。
【００１１】
そして、本発明の時計では、前記緩衝部材は、前記第一ガラス部と前記風防との間、前記第一ガラス部と前記金属部との間、前記第二ガラス部と前記裏蓋との間、および前記第二ガラス部と前記金属部との間をそれぞれシールする略環状のパッキン部材であることが好ましい。
この発明によれば、緩衝部材としてパッキン部材が設けられている。これにより、第一ガラス部と風防との間、第一ガラス部と金属部との間、第二ガラス部と裏蓋との間、第二ガラス部と金属部との間の防水性を向上させることができる。
【００１２】
また、本発明の時計では、前記金属部は、前記第一ガラス部および前記第二ガラス部に係合して、これらの前記第一ガラス部および前記第二ガラス部を当該金属部と同軸上に位置決めする係合部を備えることが好ましい。
この発明によれば、金属部は、第一ガラス部および第二ガラス部を位置決めする係合部が設けられている。これにより、時計組立時に金属部と第一および第二ガラス部がずれるなどの不都合を防止できる。また、時計に側面方向から応力が加わった場合でも、係合部により第一ガラス部および第二ガラス部が横ずれを防止できる。したがって、良好な意匠性を維持できるとともに、時計の耐久性も向上させることができる。
【００１３】
さらには、本発明の時計は、前記風防のガラス保持部は、前記裏蓋に向かって突出する裏蓋固定部を備え、前記裏蓋固定部の突出先端面は、前記裏蓋に当接されて裏蓋を介してネジがねじ込まれ、前記胴部は、前記風防のガラス保持部および裏蓋で前記緩衝部材を介して挟持されたことが好ましい。
この発明によれば、裏蓋固定部により風防と裏蓋との間隔を所定間隔寸法に維持することができる。したがって、例えば裏蓋固定部を裏蓋にねじ止めして胴部を挟持させる際、裏蓋固定部により風防と裏蓋との間隔が維持され、胴部への過剰な応力負荷を防止できる。よって、胴部の第一ガラス部および第二ガラス部の破損をより確実に防止できる。
【発明を実施するための最良の形態】
【００１４】
〔時計の構成〕
以下、本発明の一実施の形態に係る電波時計を図面に基づいて説明する。
図１は、本発明の一実施の形態に係る電波時計の概略を示す側断面図である。
図２は、前記実施の形態の電波時計の外装ケースの概略を示す斜視図である。
図３は、前記実施の形態の電波時計の外装ケースの分解斜視図である。
図４は、前記実施の形態の電波時計の外装ケースの周部における一部を拡大した断面図である。
図５は、前記実施の形態の電波時計の外装ケースの周部の固定構造を示す断面図である。
【００１５】
図１に示すように、本実施の形態の時計１は、外装ケース１００と、時計体としてのムーブメント２００と、を備えている。
【００１６】
外装ケース１００は、風防１１０と、風防１１０に対向配置される裏蓋１２０と、風防１１０および裏蓋１２０により挟持される胴部１３０と、を備えている。
【００１７】
風防１１０は、図１ないし図５に示すように、ガラス保持部としての縁部１１１と、風防ガラス１１２とを備えている。
縁部１１１は、例えば金属製部材などの強度が大きい素材にて、略円環状に形成されている。
この縁部１１１の内周面には、周方向に沿ってガラス載置部１１１Ａが設けられ、その上面側に風防ガラス１１２が載置される。また、縁部１１１の内周面（ガラス保持面１１１Ｂ）と風防ガラス１１２の外周面との間には、パッキン１１３が介在されている。
【００１８】
さらに、縁部１１１の下面（裏蓋１２０側の面）における外周縁側には、胴部１３０の第一ガラス部１３２を保持する風防側保持部１１１Ｃが形成されている。この風防側保持部１１１Ｃは、裏蓋１２０側に突出する風防側当接片１１１Ｄ（図５参照）と、この風防側当接片１１１Ｄの外周側に形成される風防側保持面１１１Ｅとを備えている。
風防側当接片１１１Ｄは、例えば風防側保持部１１１Ｃの周方向における４箇所に設けられ、胴部１３０の内周面に当接して位置決めしている。風防側当接片１１１Ｄが４個設けられる構成を示すがこれに限定されない。例えば、３個であってもよく、５個以上設けられている構成であってもよく、縁部１１１の周方向に沿って連続形成されているものであってもよい。
また、風防側保持面１１１Ｅには、周方向に沿って、裏蓋１２０側に開口する溝部としての風防側保持溝１１１Ｆが形成されている。この風防側保持溝１１１Ｆには、例えばゴムなどの合成樹脂部材により形成されて弾性を有する緩衝部材としての風防側パッキン部材１１４が装着されている。この風防側パッキン部材１１４は、例えば断面略円形に形成され、その径寸法が風防側保持溝１１１Ｆの溝幅寸法と略同一寸法に形成されている。これにより、風防側パッキン部材１１４は、軸方向に沿う応力が加わると、軸方向と略直交する方向が風防側保持溝１１１Ｆの溝壁により規制されるため、軸方向に沿う弾性力が増大する。
そして、風防側保持部１１１Ｃは、風防側当接片１１１Ｄを胴部１３０の内周面に当接させて位置決めさせた状態で、風防側パッキン部材１１４を介して、風防側保持面１１１Ｅと裏蓋１２０とにより胴部１３０を挟持することで、胴部１３０を固定している。
【００１９】
そして、縁部１１１の風防側保持部１１１Ｃの内周側には、図５に示すように、下面側に突出する４本の裏蓋固定部１１１Ｇが一体形成されている。これらの裏蓋固定部１１１Ｇは、裏蓋１２０に対向する下面に、固定ネジ孔１１１Ｈが形成されている。そして、これらの裏蓋固定部１１１Ｇは、下面を裏蓋１２０の上面に当接させた状態で、裏蓋１２０の下面側から挿通される止ネジ１５０を固定ネジ孔１１１Ｈに螺合させることにより、裏蓋１２０に固定される。なお、本実施の形態では、裏蓋固定部１１１Ｇが、風防側当接片１１１Ｄに略対向する位置に設けられる構成を示すが、これに限定されず、裏蓋固定部１１１Ｇと風防側当接片１１１Ｄとが対向しない構成であってもよい。また、裏蓋固定部１１１Ｇの数量も４個に限定されず、少なくとも３個以上設けられている構成であればよく、例えば３個であってもよく、５個以上設けられる構成であってもよい。
【００２０】
風防ガラス１１２は、縁部１１１のガラス載置部１１１Ａに載置されて接着される。この際、風防ガラス１１２と、縁部１１１のガラス保持面１１１Ｂとの間には、パッキン１１３が介在されるため、縁部１１１および風防ガラス１１２間からの水の浸入を防止でき、十分な防水性を確保している。
【００２１】
裏蓋１２０は、保持部である略円盤状の裏蓋本体部１２１と、裏蓋本体部１２１に保持されるガラス蓋１２２と、を備えている。
裏蓋本体部１２１は、例えば金属製素材などの強度の大きい素材により形成されている。この裏蓋本体部１２１の略中央部には、略正方形状のガラス保持孔１２１Ａが形成されている。このガラス保持孔１２１Ａにおける上面側端縁には、内方に突出するガラス位置決め片１２１Ｂが形成されている。このガラス位置決め片１２１Ｂの下面側には、ガラス保持孔１２１Ａと略同一形状となる略正方形状のガラス蓋１２２が位置決めされ、例えば接着剤などにより固定されている。また、ガラス保持孔１２１Ａの内周面の下面側には、ガラス蓋１２２の周面を保持するガラス蓋保持面１２１Ｃが形成されている。このガラス蓋保持面１２１Ｃは、パッキン１２３を介してガラス蓋１２２の周面を保持している。
【００２２】
また、裏蓋１２０の外周縁における上面側には、図１、図４および図５に示すように、胴部を保持する裏蓋側保持部１２１Ｄが形成されている。この裏蓋側保持部１２１Ｄは、風防１１０側に突出する裏蓋側当接片１２１Ｅと、この裏蓋側当接片１２１Ｅの外周側に形成される裏蓋側保持面１２１Ｆとを備えている。
裏蓋側当接片１２１Ｅは、裏蓋側保持部１２１Ｄの外周部における周方向に沿って形成されている。この裏蓋側当接片１２１Ｅは、胴部１３０の内周面に当接して、胴部１３０を位置決めする。なお、裏蓋側当接片１２１Ｅは、裏蓋側保持部１２１Ｄの周方向に亘って形成される例を示したが、これに限定されず、例えば風防側当接片１１１Ｄと同様に、裏蓋側保持部１２１Ｄの周方向に沿う例えば４箇所に設けられる構成などとしてもよい。
裏蓋側保持面１２１Ｆは、裏蓋側保持部１２１Ｄの周方向に沿って、風防１１０側に開口する溝部としての裏蓋側保持溝１２１Ｇを備えている。この裏蓋側保持溝１２１Ｇには、例えばゴムなどの合成樹脂部材により形成されて弾性を有する緩衝部材としての裏蓋側パッキン部材１２４が装着されている。この裏蓋側パッキン部材１２４は、風防側パッキン部材１１４と同様に、例えば断面略円形に形成され、その径寸法が裏蓋側保持溝１２１Ｇの溝幅寸法と略同一寸法に形成されている。これにより、裏蓋側パッキン部材１２４は、軸方向に沿う応力が加わると、軸方向と略直交する方向が裏蓋側保持溝１２１Ｇの溝壁により規制されるため、軸方向に沿う弾性力が増大する。
そして、裏蓋側保持部１２１Ｄは、裏蓋側当接片１２１Ｅを胴部１３０の内周面に当接させて位置決めさせた状態で、裏蓋側パッキン部材１２４を介して、裏蓋側保持面１２１Ｆと風防１１０の風防側保持面１１１Ｅとにより胴部１３０を挟持することで、胴部１３０を固定している。
【００２３】
さらに、裏蓋本体部１２１には、図５に示すように、前記した止ネジ１５０を挿通可能なネジ挿通孔１２１Ｈが、風防１１０の裏蓋固定部１１１Ｇに対向する位置にそれぞれ設けられている。
これらのネジ挿通孔１２１Ｈには、前述したように、止ネジ１５０が挿通され、この止ネジが裏蓋固定部１１１Ｇの固定ネジ孔１１１Ｈに螺合される。これにより、裏蓋１２０および風防１１０は、胴部１３０を挟持した状態で固定される。
【００２４】
胴部１３０は、略筒状の金属部１３１と、この金属部１３１の風防１１０側に配設される第一ガラス部１３２と、金属部１３１の裏蓋１２０側に配設される第二ガラス部１３３とを備えている。
金属部１３１は、例えばチタンなどの金属製部材にて形成され、一部に操作部としてのリューズ１６０を挿通する挿通孔１３１Ａが内外を貫通する状態に形成されている。また、金属部１３１は、第一ガラス部１３２に対向する一端側に第一ガラス保持部１３１Ｂが設けられ、第二ガラス部１３３に対向する他端側に第二ガラス保持部１３１Ｆが設けられている。
【００２５】
第一ガラス保持部１３１Ｂは、風防１１０側に突出する係合部としての第一ガラス係止部１３１Ｃと、第一ガラス係止部１３１Ｃの外周側に形成される第一ガラス保持面１３１Ｄとを備えている。
第一ガラス係止部１３１Ｃは、例えば金属部１３１の周方向における４箇所に設けられ、第一ガラス部１３２の内周面に当接し、第一ガラス部１３２を位置決めしている。なお、第一ガラス係止部１３１Ｃが４個設けられる構成を示すがこれに限定されない。例えば、３個であってもよく、５個以上設けられている構成であってもよく、第一ガラス保持部１３１Ｂの周方向に沿って連続形成されているものであってもよい。
また、第一ガラス保持面１３１Ｄには、周方向に沿って、風防１１０側に開口する溝部としての第一ガラス保持溝１３１Ｅが形成されている。この第一ガラス保持溝１３１Ｅには、例えばゴムなどの合成樹脂部材により形成されて弾性を有する第一ガラス保持パッキン部材１３４が装着されている。この第一ガラス保持パッキン部材１３４は、例えば断面略円形に形成され、その径寸法が第一ガラス保持溝１３１Ｅの溝幅寸法と略同一寸法に形成されている。これにより、第一ガラス保持パッキン部材１３４は、軸方向に沿う応力が加わると、軸方向と略直交する方向が第一ガラス保持溝１３１Ｅの溝壁により規制されるため、軸方向に沿う弾性力が増大する。
【００２６】
第二ガラス保持部１３１Ｆは、第一ガラス保持部１３１Ｂと略同様の構成を有し、裏蓋１２０側に突出する係合部としての第二ガラス係止部１３１Ｇと、第二ガラス係止部１３１Ｇの外周側に形成される第二ガラス保持面１３１Ｈとを備えている。
第二ガラス係止部１３１Ｇは、例えば金属部１３１の周方向における４箇所に設けられ、第一ガラス部１３２の内周面に当接し、第一ガラス部１３２を位置決めしている。なお、第二ガラス係止部１３１Ｇは、第一ガラス係止部１３１Ｃと同様に、４個に限定されるものではなく、例えば３個であってもよく、５個以上設けられている構成であってもよく、第二ガラス保持部１３１Ｆの周方向に沿って連続形成されているものであってもよい。
また、第二ガラス保持面１３１Ｈには、周方向に沿って、裏蓋１２０側に開口する溝部としての第二ガラス保持溝１３１Ｉが形成されている。この第二ガラス保持溝１３１Ｉには、第一ガラス保持溝１３１Ｅと同様に、例えばゴムなどの合成樹脂部材により形成されて弾性を有する第二ガラス保持パッキン部材１３５が装着されている。この第二ガラス保持パッキン部材１３５は、例えば断面略円形に形成され、その径寸法が第二ガラス保持溝１３１Ｉの溝幅寸法と略同一寸法に形成されている。
【００２７】
第一ガラス部１３２は、ガラスにより、金属部１３１と略同一径寸法となる略筒状に形成され、金属部１３１と略同一軸上に配設されている。この第一ガラス部１３２を形成するガラスとしては、例えばサファイアガラス、クリスタルガラスなどのガラス素材が例示できる。また、第一ガラス部１３２は、前記したように内周面が金属部１３１の第一ガラス係止部１３１Ｃおよび風防１１０の風防側当接片１１１Ｄにより位置決めされている。この時、第一ガラス部１３２は、風防側パッキン部材１１４および第一ガラス保持パッキン部材１３４を介して、風防１１０および金属部１３１に挟持される。これにより、風防１１０および金属部１３１から応力がこれらのパッキン部材１１４，１３４により吸収され、第一ガラス部１３２に大きな応力が加わらず、破損などが防止される。
【００２８】
第二ガラス部１３３は、第一ガラス部１３２と同様に、ガラスにより、金属部１３１と略同一径寸法となる略筒状に形成され、金属部１３１と略同一軸上に配設されている。この第二ガラス部１３３も第一ガラス部１３２と同様に、例えばサファイアガラスやクリスタルガラスなどのガラス素材により形成されている。そして、第二ガラス部１３３は、前記したように内周面が金属部１３１の第二ガラス係止部１３１Ｇおよび裏蓋１２０の裏蓋側当接片１２１Ｅ（図４参照）により位置決めされている。この時、第二ガラス部１３３は、裏蓋側パッキン部材１２４および第二ガラス保持パッキン部材１３５を介して、裏蓋１２０および金属部１３１に挟持され、第一ガラス部１３２と同様に、裏蓋１２０および金属部１３１から応力がこれらのパッキン部材１２４，１３５により吸収され、第二ガラス部１３３の破損などが防止される。
【００２９】
操作部としてのリューズ１６０は、前記したように胴部１３０の金属部１３１に設けられる挿通孔１３１Ａに軸部が挿通され、ムーブメント２００に接続されている。そして、リューズ１６０は、利用者により操作されることで、所定の操作信号をムーブメント２００の内部に設けられる図示しない制御回路部に出力する。なお、操作部の例としてリューズ１６０を例示したが、これに限られず、例えば、ムーブメント２００に対して進退可能な操作スイッチなどであってもよい。
【００３０】
また、風防１１０およびムーブメント２００の間には、風防ガラス１１２に対向して文字板１４０が配設されている。この文字板１４０は、例えば合成樹脂などの非磁性部材により形成され、ムーブメント２００の上面側に固定されている。また、文字板１４０の略中心部には、図示しない指針挿通孔が形成されている。この指針挿通孔には、文字板１４０上に配置された指針１７０の軸が挿通されている。
【００３１】
ムーブメント２００は、内部に図示しない制御回路部を備え、リューズ１６０から入力される操作信号に応じて、例えば図示しないステッピングモータを駆動させるなどして指針１７０を移動される。また、ムーブメント２００は、例えば水晶振動子などを備え、所定の駆動間隔で、各指針１７０を駆動させる。なお、本実施の形態では、ムーブメント２００として、リューズ１６０から入力される操作信号に基づいて、指針１７０をモータにて駆動させる制御する電子制御式機械時計と例示するが、これに限定されず、例えば、機械式時計、アナログクオーツ時計など、いかなる駆動形式の時計であってもよい。また、胴部１３０に第一および第二ガラス１３２，１３３が設けられ、電波の受信感度が良好となるため、時刻情報を有する標準電波を受信して時刻を設定する、いわゆる電波時計に適用することが好ましい。
【００３２】
〔時計の外装ケースの組立方法〕
次に上述した時計１における外装ケース１００の組立方法の一例について説明する。
上述した時計１を組み立てる際には、予め、風防１１０の縁部１１１に風防ガラス１１２を装着して風防１１０を組み立てておくとともに、裏蓋１２０の裏蓋本体部１２１にガラス蓋１２２を装着して裏蓋１２０を組み立てておく。この後、風防１１０の風防側保持溝１１１Ｆに風防側パッキン部材１１４を装着し、裏蓋１２０の裏蓋側保持溝１２１Ｇに、裏蓋側パッキン部材１２４を装着する。また、胴部１３０の金属部１３１の第一ガラス保持溝１３１Ｅおよび第二ガラス保持溝１３１Ｉにも、それぞれ第一ガラス保持パッキン部材１３４および第二ガラス保持パッキン部材１３５を装着する。
【００３３】
次に、風防１１０に対し、指針１７０や文字板１４０が取り付けられたムーブメント２００を取り付ける。
【００３４】
そして、風防１１０の風防側保持面１１１Ｅに第一ガラス部１３２を載置する。この時、風防側当接片１１１Ｄを第二ガラス部１３３の内周面に当接させて位置決めする。
次に、第一ガラス部１３２に金属部１３１を載置する。この時、金属部１３１の第一ガラス係止部１３１Ｃを第一ガラス部１３２の内周面に当接させて、金属部１３１を位置決めする。
この後、金属部１３１に第二ガラス部１３３を載置する。この時、金属部１３１の第二ガラス係止部１３１Ｇを第二ガラス部１３３の内周面を当接させて、金属部１３１に第二ガラス部１３３を位置決めする。
さらに、第二ガラス部１３３の上方から裏蓋１２０を被せる。この時、裏蓋側当接片１２１Ｅを第一ガラス部１３２の内周面に当接させて、第一ガラス部１３２と風防１１０との位置決めを実施する。
【００３５】
この後、裏蓋１２０のネジ挿通孔１２１Ｈから止ネジ１５０を挿通させ、風防１１０の裏蓋固定部１１１Ｇに設けられる固定ネジ孔１１１Ｈに螺合させる。この止ネジ１５０を締付けることにより、胴部１３０が強固に風防１１０および裏蓋１２０により挟持されて固定される。この時、胴部１３０の第一ガラス部１３２は、風防側パッキン部材１１４および第一ガラス保持パッキン部材１３４を介して風防１１０および金属部１３１に挟持されるため、これらのパッキン部材１１４，１３４が弾性変形することで第一ガラス部１３２への付加が吸収される。同様に、胴部１３０の第二ガラス部１３３は、裏蓋側パッキン部材１２４および第二ガラス保持パッキン部材１３５を介して裏蓋１２０および金属部１３１に挟持されるため、これらのパッキン部材１２４，１３５が弾性変形することで第二ガラス部１３３への付加が吸収される。
【００３６】
〔時計の作用効果〕
上記したように、上記実施の形態の時計１では、胴部１３０は、略環状の金属部１３１と、この金属部１３１と風防１１０との間に配置される第一ガラス部１３２、金属部１３１と裏蓋１２０との間に配置される第二ガラス部１３３と、を備えている。そして、金属部１３１には、リューズ１６０の軸を挿通可能な挿通孔１３１Ａが形成されている。
このため、第一ガラス部１３２および第二ガラス部１３３がガラスにて形成されているため、時計１の側面から内部構造を視認することができ、また、ガラス特有の高級感をも得ることができるので、時計１の意匠性を良好にすることができる。また、リューズ１６０を挿通する挿通孔１３１Ａが金属部１３１に設けられているため、第一ガラス部１３２や第二ガラス部１３３の耐久性が低下することなく、胴部１３０にリューズ１６０を設けることができる。
【００３７】
また、風防１１０および第一ガラス部１３２の間、第一ガラス部１３２および金属部１３１の間、第二ガラス部１３３および金属部１３１の間、第二ガラス部１３３および裏蓋１２０の間には、それぞれパッキン部材１１４，１２４，１３４，１３５が設けられている。
これにより、風防１１０および金属部１３１から第一ガラス部１３２に加わる応力、裏蓋１２０および金属部１３１から第二ガラス部１３３に加わる応力をこれらのパッキン部材１１４，１２４，１３４，１３５により良好に吸収することができ、ガラス製の第一ガラス部１３２や第二ガラス部１３３への過度の応力付加を回避することができ、第一ガラス部１３２および第二ガラス部１３３の破損を防止することができる。
【００３８】
さらに、風防側パッキン部材１１４、裏蓋側パッキン部材１２４、第一ガラス保持パッキン部材１３４、および第二ガラス保持パッキン部材１３５は、それぞれ環状の風防側保持溝１１１Ｆ、裏蓋側保持溝１２１Ｇ、第一ガラス保持溝１３１Ｅ、および第二ガラス保持溝１３１Ｉに沿って設けられている。
このため、各パッキン部材１１４，１２４，１３４，１３５が、例えば径方向にずれることがなく、良好に風防１１０と第一ガラス部１３２との間、第一ガラス部１３２と金属部１３１との間、金属部１３１と第二ガラス部１３３との間、第二ガラス部１３３と裏蓋１２０との間に配置される。したがって、各パッキン部材１１４，１２４，１３４，１３５のずれによる強度の低下を防止でき、また外観も良好にすることができる。
【００３９】
また、上記実施の形態の時計１では、緩衝部材としてパッキン部材１１４，１２４を用いている。このため、時計１の防水性を向上させることができる。
【００４０】
さらに、金属部１３１は、第一ガラス部１３２を位置決めする第一ガラス係止部１３１Ｃ、第二ガラス部１３３を位置決めする第二ガラス係止部１３１Ｇを備えている。このため、第一ガラス部１３２、金属部１３１、および第二ガラス部１３３が径方向に横ずれするなどの不都合を防止でき、良好なデザインを維持することができ、強度も良好に維持することができる。
【００４１】
さらには、外装ケース１００は、金属製の裏蓋１２０に設けられるネジ挿通孔１２１Ｈから止ネジ１５０を挿通し、風防１１０の金属製の縁部１１１から演出する裏蓋固定部１１１Ｉの固定ネジ孔１１１Ｊに螺合させることで、胴部１３０を挟持して組み立てられている。
このため、ねじ止めにより裏蓋１２０および風防１１０の金属部を固定することで、時計１の強度を向上させることができる。この際、上記したように、第一ガラス部１３２および第二ガラス部１３３がパッキン部材１１４，１２４，１３４，１３５を介して風防１１０、裏蓋１２０、および金属部１３１に挟持されるため、ねじ止めにより軸方向に大きな応力が加わったとしても、その応力をパッキン部材１１４，１２４，１３４，１３５で分散することができる。
【００４２】
また、これらパッキン部材１１４，１２４，１３４，１３５は、断面略円形に形成され、径寸法が風防側保持溝１１１Ｆ、裏蓋側保持溝１２１Ｇ、第一ガラス保持溝１３１Ｅ、および第二ガラス保持溝１３１Ｉの溝幅寸法と略同一寸法に形成されている。このため、これらパッキン部材１１４，１２４，１３４，１３５を風防側保持溝１１１Ｆ、裏蓋側保持溝１２１Ｇ、第一ガラス保持溝１３１Ｅ、および第二ガラス保持溝１３１Ｉに装着させ、風防１１０および裏蓋１２０により胴部１３０を挟持すると、パッキン部材１１４，１２４，１３４，１３５の径方向への弾性変形が風防側保持溝１１１Ｆ、裏蓋側保持溝１２１Ｇ、第一ガラス保持溝１３１Ｅ、および第二ガラス保持溝１３１Ｉの溝壁により規制され、軸方向への弾性力を増大させることができる。したがって、第一ガラス部１３２および第二ガラス部１３３への応力付加をより良好に防止することができ、破損をより確実に防止することができる。
【００４３】
〔他の実施の形態〕
なお、本発明は前述の実施形態に限定されるものではなく、本発明の目的を達成できる範囲での変形、改良等は本発明に含まれるものである。
【００４４】
例えば、上記実施の形態では、上記したように、ムーブメント２００としては、電子制御式機械時計に限らず、機械式時計、アナログクオーツ時計を用いる構成としてもよい。
【００４５】
また、第一ガラス部１３２および第二ガラス部１３３が透明なガラスにて形成され、内部が視認可能な時計１を例示したが、例えば所定の色が着色された半透明ガラスや、不透明ガラスにより第一ガラス部１３２および第二ガラス部１３３を形成する構成としてもよい。不透明ガラスを用いる場合、時計側面から内部構成を視認不可能となるが、ガラス特有の高級感により良好なデザインの時計を提供することができる。
【００４６】
さらに、第一ガラス部１３２および第二ガラス部１３３は、全体がガラスにて形成される構成を例示したがこれに限定されず、例えばガラスにて形成されるリング状部材の両端に、金属製部材を配置し、ガラス製のリング状部材が金属製部材により挟持される構成などとしてもよい。
【００４７】
さらには、上記実施の形態において、ねじ止めなどにより、胴部１３０が風防１１０および裏蓋１２０により挟持される構成としたが、例えば、第一ガラス部１３２と風防１１０との間、第一ガラス部１３２と金属部１３１との間、第二ガラス部１３３と裏蓋１２０との間、第二ガラス部１３３と金属部１３１との間を、それぞれ接着剤などにより密着固定し、胴部１３０に応力を加えない構成としてもよい。この場合、ねじ止めなどに比べて、組立時に第一ガラス部１３２および第二ガラス部１３３に加えられる負荷を軽減できるので、第一ガラス部１３２および第二ガラス部１３３の破損をより確実に防止することができる。
【００４８】
そして、パッキン部材１１４，１２４，１３４，１３５が風防側保持溝１１１Ｆ、裏蓋側保持溝１２１Ｇ、第一ガラス保持溝１３１Ｅ、および第二ガラス保持溝１３１Ｉに装着される例を示したが、パッキン部材１１４，１２４，１３４，１３５を装着する溝部が設けられない構成であってもよい。
【００４９】
また、上記において、緩衝部材としてパッキン部材１１４，１２４，１３４，１３５を介在させる構成を示したが、これに限らない。例えば緩衝部材として、弾性を有するスポンジ状部材などの他の弾性緩衝部材を介在させる構成としてもよく、また、環状の緩衝部材に限らず、風防側保持溝１１１Ｆ、裏蓋側保持溝１２１Ｇ、第一ガラス保持溝１３１Ｅ、および第二ガラス保持溝１３１Ｉの所定位置に、所定間隔を開けて複数の緩衝部材が設けられる構成などとしてもよい。この場合でも、上記例と同様に、第一ガラス部１３２および第二ガラス部１３３に加わる応力を緩衝部材に吸収させることができる。なお、上記例では、風防１１０と第一ガラス部１３２との間、第一ガラス部１３２と金属部１３１との間、第二ガラス部１３３と金属部１３１との間、第二ガラス部１３３と裏蓋１２０との間に、それぞれ、防水性の接着剤を充填させるなどすることにより、防水性の低下を防止することができる。
【００５０】
その他、本発明の実施の際の具体的な構造および手順は、本発明の目的を達成できる範囲で他の構造などに適宜変更できる。
【図面の簡単な説明】
【００５１】
【図１】本発明の一実施の形態に係る時計の概略を示す側断面図である。
【図２】前記実施の形態の時計の外装ケースの概略を示す斜視図である。
【図３】前記実施の形態の時計の外装ケースの分解斜視図である。
【図４】前記実施の形態の時計の外装ケースの周部における一部を拡大した断面図である。
【図５】前記実施の形態の時計の外装ケースの周部の固定構造を示す断面図である。
【符号の説明】
【００５２】
１…時計、１１０…風防、１１１Ｆ…溝部としての風防側保持溝、１１１Ｇ…裏蓋固定部、１１２…風防ガラス、１１４…緩衝部材としての風防側パッキン部材、１２０…裏蓋、１２１Ｇ…溝部としての裏蓋側保持溝、１２４…緩衝部材としての裏蓋側パッキン部材、１３０…胴部、１３１…金属部、１３１Ａ…挿通孔、１３１Ｃ…係合部としての第一ガラス係止部、１３１Ｅ…溝部としての第一ガラス保持溝、１３１Ｇ…係合部としての第二ガラス係止部、１３１Ｉ…溝部としての第二ガラス保持溝、１３２…第一ガラス部、１３３…第二ガラス部、１３４…緩衝部材としての第一ガラス保持パッキン部材、１３５…緩衝部材としての第二ガラス保持パッキン部材、１６０…操作部としてのリューズ、２００…時計体としてのムーブメント。
【図１】
2009008498.tif 000003
【図２】
2009008498.tif 000004
【図３】
2009008498.tif 000005
【図４】
2009008498.tif 000006
【図５】
2009008498.tif 000007